(57)【要約】【課題】  起動性を確保しつつも速やかにデストロークに変更できる低コストな圧縮機およびその制御弁の提供を図る。【解決手段】制御弁１００は、抽気通路３１を開閉する抽気通路用弁体１３１と、給気通路３２を開閉する給気通路用弁体１１２と、両弁体１３１、１１２に電磁吸引力を及ぼす電磁発生手段１２２と、を備え、抽気通路用弁体１３１は、給気通路用弁体１１２の開弁度を調整するために電磁発生手段１２２に電力供給すると開弁する。【選択図】  図３
2006220050.tif 000002
【特許請求の範囲】
【請求項１】
シリンダボア（３）に往復動自在に収容されたピストン（２９）と、
前記シリンダボア（３）の上死点側に吸入弁（１３ｖ）を介して連通する吸入室（７）と、
前記シリンダボア（３）の上死点側に吐出弁（１４ｖ）を介して連通する吐出室（８）と、
前記ピストンより下死点側のクランク室（５）と、
前記クランク室（５）内で回転する駆動軸（１０）と、
前記駆動軸（１０）の回転を各ピストン（２９）を往復動に変換するカム（２６）と、
前記クランク室圧（Ｐｃ）を調整することでクランク室圧（Ｐｃ）と吸入室圧（Ｐｓ）との差圧によりピストンストロークを変更して吐出容量を制御する制御弁（１００）と、
を備えた圧縮機（１）であって、
前記制御弁（１００）は、
前記クランク室（５）と前記吸入室（７）とを連通する抽気通路（３１）の途中に配置されて該抽気通路（３１）を開閉する抽気通路用弁体（１３１）と、
前記吐出室（８）と前記クランク室（５）とを連通する給気通路（３２）の途中に配置され該給気通路（３２）を開閉する給気通路用弁体（１１２）と、
電力供給により磁束を発生させて前記抽気通路用弁体（１３１）および前記給気通路用弁体（１１２）に電磁吸引力を及ぼす電磁発生手段（１２２）と、
を備え、
前記給気通路用弁体（１１２）は、付勢手段（Ｓ１、Ｓ２、Ｓ３）により開弁方向に一定の付勢力で常時付勢され且つ前記電磁発生手段（１２２）の電磁吸引力により閉弁方向への付勢力が調整されることで開弁度が調整され、
前記抽気通路用弁体（１３１）は、付勢手段（Ｓ４）によって閉弁方向に一定の付勢力で常時付勢され且つ前記電磁発生手段（１２２）の電磁吸引力により閉弁方向への付勢力が調整されるものであり、前記電磁発生手段（１２２）の電磁吸引力が生じると電磁吸引力の大きさにかかわらず前記抽気通路（３１）を閉じ且つ前記電磁発生手段（１２２）の電磁吸引力が消えると前記抽気通路（３１）を開くことを特徴とする圧縮機（１）。
【請求項２】
請求項１に記載の圧縮機（１）であって、
圧縮機（１）が介装されている冷凍サイクルの冷媒圧力または冷媒圧力差を検出して冷凍サイクルの冷媒圧力又は冷媒圧力差を維持するように、前記給気通路用弁体（１１２）に対して荷重を付与する感圧部（１１５）を備えることを特徴とする圧縮機（１）。
【請求項３】
クランク室圧（Ｐｃ）を調整することでピストン（２９）を挟んでのクランク室圧（Ｐｃ）と吸入圧（Ｐｓ）との差圧によりピストンストロークを調整して吐出量を制御する圧縮機の制御弁（１００）であって、
前記制御弁（１００）は、
前記クランク室（５）と前記吸入室（７）とを連通する抽気通路（３１）の途中に配置されて該抽気通路（３１）を開閉する抽気通路用弁体（１３１）と、
前記吐出室（８）と前記クランク室（５）とを連通する給気通路（３２）の途中に配置され該給気通路（３２）を開閉する給気通路用弁体（１１２）と、
電力供給により磁束を発生させて前記抽気通路用弁体（１３１）および前記給気通路用弁体（１１２）に電磁吸引力を及ぼす電磁発生手段（１２２）と、
を備え、
前記給気通路用弁体（１１２）は、付勢手段（Ｓ１、Ｓ２、Ｓ３）により開弁方向に一定の付勢力で常時付勢され且つ前記電磁発生手段（１２２）の電磁吸引力により閉弁方向への付勢力が調整されることで開弁度が調整され、
前記抽気通路用弁体（１３１）は、付勢手段（Ｓ４）によって閉弁方向に一定の付勢力で常時付勢され且つ前記電磁発生手段（１２２）の電磁吸引力により閉弁方向への付勢力が調整されるものであり、前記電磁発生手段（１２２）の電磁吸引力が生じると電磁吸引力の大きさにかかわらず前記抽気通路（３１）を閉じ且つ前記電磁発生手段（１２２）の電磁吸引力が消えると前記抽気通路（３１）を開くことを特徴とする圧縮機の制御弁（１００）。
【請求項４】
請求項３に記載の圧縮機の制御弁（１００）であって、
圧縮機（１）が介装されている冷凍サイクルの冷媒圧力または冷媒圧力差を検出して冷凍サイクルの冷媒圧力又は冷媒圧力差を維持するように、前記給気通路用弁体（１１２）に対して荷重を付与する感圧部（１１５）を備えることを特徴とする圧縮機の制御弁（１００）。
【発明の詳細な説明】
【技術分野】
【０００１】
本発明は、クランク室内の圧力を調整して吐出量を変更する可変容量圧縮機およびそれに用いる制御弁に関する。
【背景技術】
【０００２】
可変容量圧縮機では、吐出容量の調整を行う容量制御機構が設けられている。
【０００３】
例えば特許文献１に開示される容量制御機構は、吐出室の圧力をクランク室に導入する給気通路と、クランク室の圧力を吸入室に導出する抽気通路と、給気通路の途中に介在されて該給気通路を開閉制御する電磁制御弁と、を備えて構成されている。電磁制御弁により給気通路の開度を調整すると、吐出室からクランク室に導入する高圧冷媒の量が調整され、クランク室の圧力が調整される（つまりピストンを挟んだクランク室圧と吸入室圧との差圧が調整される）。すると、ピストンストロークが変わり、圧縮機の吐出量が変更される。
【特許文献１】特許第２５６７９４７号
【発明の開示】
【発明が解決しようとする課題】
【０００４】
このような可変容量圧縮機においては、例えば圧縮機の吐出量に対して蒸発器で受ける熱負荷が小さいときには、蒸発器が過剰に冷却されてこの状態が長く続くと蒸発器が凍結してしまうため、速やかにデストロークに変更できると好ましい。また、可変容量圧縮機が車両に搭載される場合は、車両の加速時に圧縮機で消費する動力を低減することで効率的な車両の急加速が可能となるため、このような場合も速やかにデストロークに変更できると好ましい。
【０００５】
そのため、吐出室から給気通路を通じてクランク室に導入した高圧冷媒が、抽気通路を通じてクランク室から大量に排出されてないように、抽気通路の通路断面積は小さく設定されている。なお、通常は抽気通路の途中に通路断面積を絞った固定絞り部が設けられている。
【０００６】
しかしながら、このように抽気通路の通路断面積が小さいと、圧縮機の停止時にクランク室に溜まった液冷媒が圧縮機の起動時に速やかにクランク室から排出されず、この液冷媒が駆動軸またはカム（斜板）の回転によりかき回されて気化しクランク室がどんどん高圧となるため、クランク室を低圧にしてピストンストロークを大きくしようとしてもできない不都合が生じる。つまり、抽気通路の通路断面積が小さいと、圧縮機の起動性が劣ってしまう。
【０００７】
なお、外気温度が高温であるほどまた圧縮機の放置時間（停止時間）が長いほど、外気温度の影響を受けやすい冷凍サイクルの構成要素（蒸発器、凝縮器、配管）で気化した冷媒が、外気温度の影響を受けにくい圧縮機のクランク室に液化して溜まるため、クランク室内に大量の液冷媒が溜まってしまう。そのため、特に圧縮機の起動性が重視される夏期ほど、圧縮機の機動性が低下してしまうことになる。
【０００８】
ここでこのような課題を解消すべく、起動性を確保しつも速やかにデストロークに変更できる構造として、抽気通路の通路断面積を大きく設定してこの抽気通路を開閉する電磁制御弁（弁体および電磁発生手段）を設けた構造が考えられる。この構造によれば抽気通路を任意に開閉できるため、圧縮機の起動時には抽気通路を開くことで圧縮機の起動性を確保できるし、デストロークにしたい時には抽気通路を閉じることで速やかにデストロークにできる。
【０００９】
しかしながら、給気通路と抽気通路のぞれぞれに電磁制御弁（特に電磁発生手段）を付加すると圧縮機の製造コストが嵩んでしまう。
【００１０】
本発明は、上記事情を考慮し、起動性を確保しつも速やかにデストロークに変更できる低コストな圧縮機およびその制御弁の提供を目的とする。
【課題を解決するための手段】
【００１１】
請求項１の発明は、シリンダボアに往復動自在に収容されたピストンと、前記シリンダボアの上死点側に吸入弁を介して連通する吸入室と、前記シリンダボアの上死点側に吐出弁を介して連通する吐出室と、前記ピストンより下死点側のクランク室と、前記クランク室内で回転する駆動軸と、前記駆動軸の回転を各ピストンの往復動に変換するものであり且つ前記ピストンを挟んでのクランク室圧と吸入室圧との差圧によりピストンストロークを変更するカムと、前記クランク室圧を調整することでクランク室圧と吸入室圧との差圧によりピストンストロークを変更して吐出容量を制御する制御弁と、を備えた圧縮機であって、
前記制御弁は、前記クランク室と前記吸入室とを連通する抽気通路の途中に配置されて該抽気通路を開閉する抽気通路用弁体と、前記吐出室と前記クランク室とを連通する給気通路の途中に配置され該給気通路を開閉する給気通路用弁体と、電力供給により磁束を発生させて前記抽気通路用弁体および前記給気通路用弁体に電磁吸引力を及ぼす電磁発生手段と、を備え、
前記給気通路用弁体は、付勢手段により開弁方向に一定の付勢力で常時付勢され且つ前記電磁発生手段の電磁吸引力により閉弁方向への付勢力が調整されることで開弁度が調整され、前記抽気通路用弁体は、付勢手段によって閉弁方向に一定の付勢力で常時付勢され且つ前記電磁発生手段の電磁吸引力により閉弁方向への付勢力が調整されるものであり、前記電磁発生手段の電磁吸引力が生じると電磁吸引力の大きさにかかわらず前記抽気通路を閉じ且つ前記電磁発生手段の電磁吸引力が消えると前記抽気通路を開くことを特徴とするものである。
【００１２】
請求項２の発明は、請求項１に記載の圧縮機であって、圧縮機が介装されている冷凍サイクルの冷媒圧力または冷媒圧力差を検出して冷凍サイクルの冷媒圧力又は冷媒圧力差を維持するように、前記給気通路用弁体に対して荷重を付与する感圧部を備えることを特徴とするものである。
【００１３】
請求項３の発明は、クランク室圧を調整することでピストンを挟んでのクランク室圧と吸入圧との差圧によりピストンストロークを調整して吐出量を制御する圧縮機の制御弁であって、
前記クランク室と前記吸入室とを連通する抽気通路の途中に配置されて該抽気通路を開閉する抽気通路用弁体と、前記吐出室と前記クランク室とを連通する給気通路の途中に配置され該給気通路を開閉する給気通路用弁体と、電力供給により磁束を発生させて前記抽気通路用弁体および前記給気通路用弁体に電磁吸引力を及ぼす電磁発生手段と、を備え、
前記給気通路用弁体は、付勢手段により開弁方向に一定の付勢力で常時付勢され且つ前記電磁発生手段の電磁吸引力により閉弁方向への付勢力が調整されることで開弁度が調整され、
前記抽気通路用弁体は、付勢手段によって閉弁方向に一定の付勢力で常時付勢され且つ前記電磁発生手段の電磁吸引力により閉弁方向への付勢力が調整されるものであり、前記電磁発生手段の電磁吸引力が生じると電磁吸引力の大きさにかかわらず前記抽気通路を閉じ且つ前記電磁発生手段の電磁吸引力が消えると前記抽気通路を開くことを特徴とするものである。
【００１４】
請求項４の発明は、請求項３に記載の圧縮機の制御弁であって、圧縮機が介装されている冷凍サイクルの冷媒圧力または冷媒圧力差を検出して冷凍サイクルの冷媒圧力又は冷媒圧力差を維持するように、前記給気通路用弁体に対して荷重を付与する感圧部を備えることを特徴とするものである。
【発明の効果】
【００１５】
請求項１および３の発明によれば、給気通路の開弁度を調整すべく電磁発生手段へ電力供給した際には抽気通路が開き、電磁発生手段への電力供給を停止した際には給気通路が開き且つ抽気通路が閉じる。
【００１６】
そのため、圧縮機の起動に伴い電磁発生手段に電力を供給すれば、抽気通路が開いた状態で給気通路の開度を調整できる。するとクランク室に溜まった液冷媒は抽気通路を通じてクランク室外へ速やかに排出され、圧縮機の起動性が向上する。また、デストロークにしたい場合には、電磁発生手段への電力供給を遮断すれば抽気通路が閉じ且つ給気通路が開き、これによりクランク室の圧力が速やかに上昇して速やかにデストロークになる。
【００１７】
このように請求項１および３の発明によれば、給気通路の弁体を開閉する電磁発生手段と抽気通路の弁体を開閉する電磁制御手段とを別々に設けない低コストな構造でありながら、圧縮機の起動性を確保しつつも速やかにデストロークに変更できる構造となる。
【００１８】
請求項２および４の発明によれば、電磁吸入力を変更しない限り、設定された冷媒圧力となるように実際の冷媒圧力が自律的に調節される。外部からの制御によって電磁吸入力を変更すれば冷媒圧力の設定値が変更され、この新たな設定値となるように実際の冷媒圧力が調節される。そのため、冷凍サイクルを安定した状態で制御できる。
【発明を実施するための最良の形態】
【００１９】
以下、本発明にかかる可変容量圧縮機の一実施形態を図面を参照しつつ説明する。この実施形態の圧縮機１は、車両のエンジンルームに配置されエンジンの駆動軸の回転力を利用して駆動し、車両用空調装置の冷凍サイクルに介装されて冷凍サイクルで気化した冷媒ガスを断熱圧縮するものである。
【００２０】
まず図１を参照して圧縮機１の全体構造を説明する。
【００２１】
圧縮機１は、斜板式可変容量圧縮機である。圧縮機１は、円周方向に複数の等間隔に配置されたシリンダボア３を有するシリンダブロック２と、該シリンダブロック２の前端面に接合され該シリンダブロック２との間にクランク室５を形成するフロントハウジング４と、シリンダブロック２の後端面にバルブプレート９を介して接合され吸入室７および吐出室８を形成するリアハウジング６と、を備えている。これらシリンダブロック２とフロントハウジング４とリアハウジング６とは、複数のスルーボルトＢによって締結固定される。
【００２２】
バルブプレート９は、シリンダボア３と吸入室７とを連通する吸入孔１１と、シリンダボア３と吐出室８とを連通する吐出孔１２と、を備えている。
【００２３】
バルブプレート９のシリンダブロック２側には、吸入孔１１を開閉する吸入弁１３ｖ（図３参照）が設けられ、一方、バルブプレート９のリアハウジング６側には、吐出孔１２を開閉する吐出弁１４ｖ（図３参照）が設けられている。
【００２４】
シリンダブロック２およびフロントハウジング４の中心の支持孔１９、２０には軸受１７、１８を介して駆動軸１０が軸支され、この駆動軸１０がクランク室５内で回転自在となっている。この駆動軸１０の前端はフロントハウジング４から外部へ突出しており、この突出端には電磁クラッチ５４を介してプーリ５５が回転自在に配置されている。このプーリ５５は図示せぬベルトを介して外部駆動源としての車両エンジンと連結され、電磁クラッチ５４がＯＮ状態でエンジンの回転を駆動軸１０に伝える。
【００２５】
クランク室５内には、前記駆動軸１０に固定したドライブプレート２１と、駆動軸１０に摺動自在に嵌装したスリーブ２２と、該スリーブ２２にピン２３により揺動自在に連結したジャーナル２４と、該ジャーナル２４のボス部２５に軸受３６を介して装着した「カム」としてのワブルプレート（斜板）２６と、が設けられている。ワブルプレート２６は、クランク室５内に固定された規制プレート３５と軸方向に沿って摺動自在に連結されることで、回転が阻止された状態で軸線方向へスライドしつつその傾斜角を変更できるようになっている。ワブルプレート２６の傾斜角は、スリーブ２２がシリンダブロック２側に近接移動すると減少し、一方、スリーブ２２がシリンダブロック２から離れる方向に移動すると増大する。ここで、スリーブ２２がシリンダブロック２側に近接した際には、一方の復帰バネ５２が縮んでいるのでこの復帰バネ５２の弾性復元力によりスリーブ２２が中立位置に向けて復帰しやすくなっており、一方、スリーブ２２がシリンダブロック２から離間している際には、他方の復帰バネ５１が縮んでいるのでこの復帰バネ５１の弾性復元力によりスリーブ２２が中立位置にむけて復帰しやすくなっている。なお、ドライブプレート２１とジャーナル２４とは、そのヒンジアーム２１ｈ、２４ｈを弧状の長孔２７とピン２８とを介して連結されており、これによりワブルプレート２６の最大傾斜角度と最小傾斜角度とが規制されている。
【００２６】
このような構造により、駆動軸１０を回転によりジャーナル２４が回転すると、ワブルプレート２６は非回転で且つ軸線方向に揺動する。ワブルプレート２６の揺動すると、ピストンロッド３０を介してワブルプレート２６に連結されたピストン２９が各シリンダボア３内で往復運動する。ピストン２９が往復動すると、吸入室７の冷媒は吸入室７→バルブプレート９の吸入孔１１→シリンダボア３へと吸入しされたのちシリンダボア３内で圧縮され、シリンダボア３→バルブプレート９の吐出孔１２→吐出室８へと吐出される。
【００２７】
ここで圧縮機の吐出容量を可変とするために、圧縮機には容量制御機構が設けられている。この実施形態の容量制御機構は、クランク室５と吸入室７とを連通する抽気通路３１（図１中矢示で示す）と、クランク室５と吐出室８とを連通する給気通路３２（図１中矢示で示す）と、抽気通路３１および該給気通路３２を開閉する制御弁１００と、を有する。なお、抽気通路３１は途中に固定絞り部（オリフィス）を備えない。制御弁１００の開度を調整してクランク室圧Ｐｃを調整すると、該クランク室５と吸入室７との圧力バランス（ピストン２９の前後の圧力バランス）が変化してピストンストロークが変化して、圧縮機１の吐出容量が変わる。
【００２８】
制御弁
以下、容量制御用の制御弁１００の構成を図２、３を参照して詳しく説明する。
【００２９】
この制御弁１００は、リアハウジング６に組み付けられている。制御弁１００のハウジングは、バルブケース１０１およびこのバルブケース１０１の下部に連結されたソレノイドケース１２１、および各ケース１０１、１２１の開口端部を閉塞するキャップ１０２、１０３、１０４からなる。バルブケース１０１は、抽気通路３１の一部を構成する通路部分（１０８、１０９、１３３、１３４、１３５）と、給気通路３２の一部を構成する通路部分（１０５ａ、１０５ｂ、１０５ｃ、１０５ｄ）と、感圧室１０９（この例では感圧室１０９は抽気通路３１の一部を兼ねている）と、を備えている。バルブケース１０１の中央部には、給気通路用の弁体１１２が形成されたロッド１１１がスライド自在に配置されているとともに、前記ロッド１１１に外側から装着され該ロッド１１１に対してスライド自在な抽気通路用の弁体１３１が配置されている。
【００３０】
次に、抽気通路３１の開閉機構および給気通路３２の開閉機構を説明する。まず、給気通路３２の開閉機構から説明する。
【００３１】
給気通路３２の一部を構成する通路部分は、弁座１０６に貫通形成された弁孔１０５ｂと、弁孔１０５ｂよりも吐出クランク室側の通路１０５ａと、弁孔１０５ｂよりもクランク室側の弁室１０５ｃおよび通路１０５ｄと、を備えて構成されている。
【００３２】
前記弁孔１０５ｂおよび弁室１０５ｃをロッド１１１が貫通しており、弁室１０５ｃ内にロッド１１１の弁体１１２が配置されている。弁体１１２は、ロッド１１１の上下方向へのスライドに伴って弁座１０６に接離して弁孔１０５ｂを開閉する。
【００３３】
ロッド１１１は、スプリングＳ１、Ｓ２、Ｓ３により弾性支持されており、弁体１１２の開弁方向Ｙ（図３中下方）に向けて第１スプリングＳ１の付勢力ｆ１が付加されているとともに弁体１１２の閉弁方向Ｘ（図３中上方）に第２スプリングＳ２および第３スプリングＳ３の付勢力ｆ２、ｆ３が付加されている。
【００３４】
また、ロッド１１１には、感圧室１０９に配置されたベローズ（感圧部）１１５の自由端（図３中下端）が連結されている。感圧室１０９は通路１０８を介して吸入室７と連通しており、これにより内部圧力は吸入室圧Ｐｓに相当する。ベローズ１１５は感圧室１０９の内部圧力（吸入室圧Ｐｓ）に感応して伸縮し、この伴う付勢力Ｐｓ×Ａの変化に応じて弁体１１２に加わる開弁方向への付勢力と閉弁方向への付勢力との釣り合いが変化する。この実施形態では、吸入室圧Ｐｓが上昇した際にベローズ１１５が縮んで閉弁方向Ｘへの付勢力を上昇させ（つまり圧縮機１の吐出量に対して蒸発器で受ける熱負荷が大きいときに給気通路３２を閉じてクランク室圧Ｐｃを低下させて圧縮機１の吐出量を多くし）且つ吸入室圧Ｐｓが下降した際にはベローズ１１５が伸びて閉弁方向Ｘへの付勢力を下降させる（つまり圧縮機１で吐出する冷媒流量に対して蒸発器で受ける熱負荷が小さいときに給気通路３２を開いてクランク室圧Ｐｃを上昇させて圧縮機１の吐出量を少なくする）ようになっている。言い換えれば、熱負荷に応じた冷媒吐出量となるようにベルローズが配置されている。なお、この実施形態ではベローズ１１５内は真空を封入して一定圧としているが、例えば大気または任意の気体を封入して一定圧としてもよい。
【００３５】
このような構成により、給気通路用の弁体１１２の自律的な力の釣り合いは以下のようになる。
【００３６】
開弁方向Ｙ（図３中下方向）の力の和はｆ１であり、閉弁方向Ｘ（図３中上方向）の力の和はｆ２＋ｆ３＋Ｐｓ×Ａ（＋Ｆ１ｓｏｌ）である。開弁方向の力（図３中下向きの力）が閉弁方向（図３中上向きの力）に勝つときロッド１１１が押し下げられて開弁し、給気通路３２を通じてクランク室５に吐出室８の圧力が流入することになる。
【００３７】
但し、上式において、
Ａ  ：ベローズの有効受圧面積
ｆ１  ：第１スプリングによる力
ｆ２  ：第２スプリングによる力
ｆ３  ：第３スプリングによる力
Ｆ１ｓｏｌ  ：ソレノイドコイルによる力
Ｐｄ  ：吐出室８内の圧力
Ｐｃ  ：クランク室５の圧力
Ｐｓ  ：吸入室７の圧力
である。
【００３８】
感圧部１１５の圧力制御点を変更しうる「外部制御手段」としてのソレノイド部１２０は、バルブケース１０１の下端部に固定されたソレノイドケース１２１と、このソレノイドケース１２１内に配置されたソレノイドコイル１２２と、ソレノイドコイル１２２の中央に固定された固定鉄心１２３と、固定鉄心１２３の下方に配置されソレノイドコイル１２２の励磁・消磁により固定鉄心１２３に向けて（図３中上方に向けて）スライドする可動鉄心１２４と、を備えている。可動鉄心１２４はソレノイドケース１２１および固定鉄心１２３を貫通する前記ロッド１１１の下端部１１１ｂと連結されている。
【００３９】
制御装置９０によりソレノイドコイル（電磁発生手段）１２２に電力供給すると、固定鉄心１２３に対して可動鉄心１２４が電磁吸引力で吸引される。電磁吸引力の大きさを変更することで感圧部１１５の圧力制御点を変更できるようになっている。電磁吸引力の大きさは、ソレノイドコイル１２２に通電する電圧値またはデューティー比（電流値に相当）を制御することで行われる。この実施形態では、ソレノイドコイル１２２に通電すると図３中上方に向けてロッド１１１に付勢力を与えることができる。
【００４０】
次に、抽気通路３１の開閉構造を説明する。
【００４１】
抽気通路３１の一部を構成する通路部分は、弁座１３２に形成された弁孔１３３と、該弁孔１３３よりも吸入室７側の通路（この例では感圧室１０９および通路１０８が相当する）と、該弁孔１３３よりもクランク室側の弁室１３４および通路１３５と、を備えて構成されている。
【００４２】
弁室１３４内には抽気通路用弁体１３１が配置されており、この抽気通路用弁体１３１が弁座１３２に接離して弁孔１３３を開閉する。また抽気通路用弁体１３１は第４スプリングＳ４の付勢力ｆ４により抽気通路用弁体１３１の閉弁方向Ｘ（図３中上方）に向けて付勢されている。また抽気通路用弁体１３１は磁性体で構成されており、給気通路用弁体１１２の開弁度を調整すべくソレノイドコイル１２２へ電力供給すると、微少な電力供給量にて下方の固定鉄心１２３に吸引されて開弁するように設定されている。つまり、微少な電力供給量（この例ではデューティー３０％付近）でも、第４スプリングＳ４の付勢力ｆ４よりも電磁吸引力が大きくなるように第４スプリングＳ４のバネ定数が設定されている。
【００４３】
次に、この実施形態の可変容量圧縮機１の作用を図３〜図５を参照しつつ説明する。
【００４４】
まず、圧縮機１を起動すると、制御装置９０は車内設定温度や各種センサなどの検出信号に基づき、電磁発生手段としてのソレノイドコイル１２２に電力供給して図４または図５に示すように給気通路３２の開度を調整する。このとき、抽気通路３１が開いた状態となるため、クランク室５に溜まった液冷媒は抽気通路３１を通じてクランク室５外へ排出される。
【００４５】
なお、圧縮機１の起動からある程度時間が経過した安定的な運転中においても同様の制御が行われる。
【００４６】
次に、このような安定的な運転中において、制御装置９０が圧縮機をデストロークに変更すると判断した場合には、制御装置９０はソレノイドコイル１２２への電力供給を遮断する。すると、図３に示すように抽気通路３１が閉じ且つ給気通路３２が開く。これにより、クランク室５の圧力が速やかに上昇してピストンストロークが速やかにデストロークとなる。
【００４７】
制御装置９０が圧縮機をデストロークに変更すると判断する場合は、例えば車内設定温度が車内温度よりも高くなって蒸発器の吹出温度をこれ以上下げたくない場合や、蒸発器の吹出温度が所定値よりも低くなって凍結の恐れが有る場合や、車両加速時に圧縮機で消費する動力をゼロに近づける場合などがある。
【００４８】
次に、この実施形態の効果をまとめる。
【００４９】
（１）この実施形態によれば、制御弁１００は、抽気通路３１を開閉する抽気通路用弁体１３１と、給気通路３２を開閉する給気通路用弁体１１２と、電力供給により磁束を発生させて抽気通路用弁体１３１および給気通路用弁体１１２に電磁吸引力を及ぼす電磁発生手段１２２と、を備え、抽気通路用弁体１３１は、給気通路用弁体１１２の開弁度を調整するために電磁発生手段１２２に電力供給すると開弁する構造である。具体的には給気通路用弁体１１２は、付勢手段Ｓ１、Ｓ２、Ｓ３により開弁方向に一定の付勢力で常時付勢され且つ電磁発生手段１２２の電磁吸引力により閉弁方向への付勢力が調整されることで開弁度が調整される。また、抽気通路用弁体１３１は、付勢手段Ｓ４によって閉弁方向に一定の付勢力で常時付勢され且つ電磁発生手段１２２の電磁吸引力により閉弁方向への付勢力が調整されるものであり、電磁発生手段１２２の電磁吸引力が生じると電磁吸引力の大きさにかかわらず抽気通路３１を閉じ且つ電磁発生手段１２２の電磁吸引力が消えると抽気通路３１を開く。
【００５０】
このような構造により、給気通路３２の開弁度を調整すべく電磁発生手段１２２へ電力供給した際には抽気通路３１が開き、電磁発生手段１２２への電力供給を停止した際には給気通路３２が開き且つ抽気通路３１が閉じる。そのため、圧縮機を起動時すると抽気通路３１が開いた状態で給気通路３２の開度を調整でき、クランク室５に溜まった液冷媒を抽気通路３１を通じてクランク室５外へ排出できる。結果、圧縮機の起動性を向上できる。
【００５１】
また、デストロークに変更したい場合には、電磁発生手段１２２への電力供給を遮断すれば抽気通路３１が閉じ且つ給気通路３２が開くので、クランク室５の圧力を速やかに上昇させてピストンストロークを速やかにデストロークにできる。
【００５２】
このようにこの実施形態によれば、給気通路３２を開閉するための電磁発生手段と抽気通路３１を開閉するための電磁発生手段とを別々に設けない低コストな構造でありながら、圧縮機の起動性を確保し且つ速やかにデストロークに変更できる。
【００５３】
また、抽気通路用弁体１３１を弾性支持する付勢手段（Ｓ１、Ｓ２、Ｓ３、１１５）と、給気通路用弁体１１２を弾性支持する付勢手段（Ｓ４）とは、互いに独立しているため、弁体１３１、１１２の開度調整の制御が行い易い構造である。
【００５４】
（２）この実施形態によれば、圧縮機１が介装されている冷凍サイクルの冷媒圧力（この例では吸入室圧Ｐｓ）を検出して冷凍サイクルの冷媒圧力（吸入室圧Ｐｓ）を維持するように、給気通路用弁体１１２に対して荷重を付与する感圧部１１５を備える構造である。つまり、蒸発器で受ける熱負荷が大きい時に（この例では吸入室圧Ｐｓが高い時に）給気通路用弁体１１２を閉弁方向に移動させる荷重を大きくし、蒸発器で受ける熱負荷が小さい時に（この例では吸入室圧Ｐｓが低い時）に給気通路用弁体１１２を開弁方向に移動させる荷重を大きくする感圧部１１５を備える構造である。
【００５５】
そのため、電磁吸入力を変更しない限り、設定された冷媒圧力となるように実際の冷媒圧力が自律的に調節される。外部からの制御によって電磁吸入力を変更すれば冷媒圧力の設定値が変更され、この新たな設定値となるように実際の冷媒圧力が調節される。そのため、冷凍サイクルを安定した状態で制御できる。
【００５６】
なお、本発明は上述の実施形態のみに限定されない。
【００５７】
例えば、上述の本実施形態では、感圧部が吸入室の冷媒圧力に基づく荷重を給気通路用弁体に付与する構造であるが、本発明では、感圧部が冷凍サイクルに設けられた第１圧力監視点の冷媒圧力とこの第１圧力監視点よりも低圧側である下流側の第２圧力監視点の冷媒圧力と、の差に基づく荷重を給気通路用弁体に付与する構造であってもよい。
【００５８】
また、上述の実施形態では、感圧部は、熱負荷が大きいときに（吸入圧が高いときに）給気通路用弁体に付与する閉弁方向への荷重を大きくする一方で熱負荷が小さいときに（吸入圧が低いときに）給気通路用弁体に付与する閉弁方向への荷重を小さくする構造であるが、その逆に熱負荷が大きいときに（吸入圧が高いときに）給気通路用弁体に付与する開弁方向への荷重を大きくする一方で熱負荷が小さいときに（吸入圧が低いときに）給気通路用弁体に付与する開弁方向への荷重を小さくする構造であってもよい。また、その他の感圧構造を採用してもよい。
【００５９】
また、上述の実施形態では感圧部として主にベローズを用いているが、本発明にあっては感圧部として例えばダイアフラムなどその他の形態をとっても良い。
【００６０】
また、上述の実施形態の圧縮機１は、斜板２６が非回転で揺動するワブルプレート式の斜板式可変容量圧縮機１であるが、本発明は斜板２６が駆動軸１０と一体的に回転するスワッシュ式の斜板式可変容量圧縮機にも適用できるし、斜板式以外の可変容量圧縮機にも適用できる。
【００６１】
また、上述の実施形態では電磁クラッチ５４を備える圧縮機で構成されているが、本発明にあってはクラッチレス圧縮機であってもよい。
【００６２】
また、上述の実施形態では、固定絞り部を有さない抽気通路３１を開閉する構造であったが、本発明では抽気通路３１とは別にさらに固定絞り部付きの抽気通路を備える構造であってもよい。
【００６３】
またその他、本発明の技術的思想を逸脱しない範囲で変更可能である。
【図面の簡単な説明】
【００６４】
【図１】本発明の実施形態の可変容量圧縮機を示す断面図。
【図２】同可変容量圧縮機のリアハウジングの断面図。
【図３】同可変容量圧縮機の制御弁を中心にした容量制御系の構成を示す図であって、ソレノイドコイルへ電力供給されていない図。
【図４】同可変容量圧縮機の制御弁を中心にした容量制御系の構成を示す図であって、ソレノイドコイルへ電力供給された状態で給気通路用弁体が閉弁している図。
【図５】同可変容量圧縮機の制御弁を中心にした容量制御系の構成を示す図であって、ソレノイドコイルへ電力供給された状態で給気通路用弁体が開弁している図。
【符号の説明】
【００６５】
１…圧縮機
３…シリンダボア
５…クランク室
７…吸入室
８…吐出室
２６…ワブルプレート（斜板、カム）
２９…ピストン
３１  抽気通路
３２…給気通路
１００…制御弁
１０５ａ…通路（給気通路）
１０５ｂ…弁孔（給気通路）
１０５ｃ…弁室（給気通路）
１０５ｄ…通路（給気通路）
１０８…通路（抽気通路）
１０９…感圧室（抽気通路）
１１２…給気通路用弁体
１１５…ベローズ（感圧部）
１２２…ソレノイドコイル（電磁力発生手段）
１３３…弁孔（抽気通路）
１３４…弁室（抽気通路）
１３５…通路（抽気通路）
ｆ１…第１スプリングの付勢力
ｆ２…第２スプリングの付勢力
ｆ３…第３スプリングの付勢力
ｆ４…第４スプリングの付勢力
Ｓ１…第１スプリング
Ｓ２…第２スプリング
Ｓ３…第３スプリング
Ｓ４…第４スプリング
Ｐｃ…クランク室圧
Ｐｄ…吐出室圧
Ｐｓ…吸入室圧
Ｘ…給気通路用弁体の閉弁方向、抽気通路用弁体の閉弁方向
Ｙ…給気通路用弁体の開弁方向、抽気通路用弁体の閉弁方向
【図１】
2006220050.tif 000003
【図２】
2006220050.tif 000004
【図３】
2006220050.tif 000005
【図４】
2006220050.tif 000006
【図５】
2006220050.tif 000007